(57)【特許請求の範囲】
【請求項１】
導光性を有する文字盤と、前記文字盤に光を投入する光源とを備え、前記文字盤には、前記光源からの光にて発光する指標部を設けた時計において、
前記文字盤には、前記光源を挿通する孔部を設けるとともに、前記孔部に挿通した前記光源の前方には、導光性を有し且つ前記光源からの光にて発光する発光部を設け、
更に前記文字盤を覆うカバーを備え、
前記カバーは、前記発光部に支持したことを特徴とする時計。
【発明の詳細な説明】
【０００１】
【発明の属する技術分野】
本発明は、導光性を有する文字盤と、文字盤に光を投入する光源とを備え、文字盤には、光源からの光にて発光する指標部を設けた時計に関する。
【０００２】
【従来の技術】
従来、文字盤を照明する光源を備えた時計としては、例えば特開平９−９６６８２号に記載されたもののように、文字盤の周囲に導光性を有する環状の部材を配置し、この環状の部材にて光源の光を導くように構成したものが知られている。
【０００３】
また、例えば特開平１１−２４８８５８号に記載された照明付時計のように、導光性を有する文字盤に光源の光を投入し、文字盤に設けた指標部を発光させるものが知られている。指標部は、時刻を指標するものである。或いは、単に文字盤に装飾を施すだけのものもある。
【０００４】
ここで、導光性とは、投入された光をその端面に導く性質であり、導光性を有する部材としては、例えば透明な樹脂やガラス等が一般的に知られている。
【０００５】
更に、導光性を有する部材の裏面に文字等を白色印刷し、その後ろに黒系のプレートを置くことによれば、その文字等をライトで照らしたように浮き上がらせることができる。
【０００６】
また、導光性を有する部材の裏面にＶ字状の溝部を形成すれば、光が溝部により導光体の正面側に反射されることから、これを利用して、文字等を浮き上がらせることもできる。
【０００７】
ゆえに、文字盤の指標部は、文字盤の裏面に白色印刷を施したり、溝部を設けたりして構成されている。
【０００８】
また特に、導光性を有する部材としては、集光染料で着色した集光材も知られている。
【０００９】
集光染料は、面から入る特定の波長の光をとらえ、それを蛍光に変えて長波長で再放射するものであり、集光材の端面からは、濃密化された強い蛍光色が発生する。
【００１０】
このように、光源を設けて文字盤を照明することによれば、暗い場所での時刻の読み取りが容易になるうえ、装飾的な効果も大きい訳である。
【００１１】
【発明が解決しようとする課題】
ところで近年、時計のデザインはますます多様化されており、前述したように文字盤を照明する構成についても、時刻の読み取り性や装飾性を更に向上するものが望まれている。
【００１２】
そこで本発明は、このような現状を考慮し、文字盤を一層効率よく照明することができ、更にこの文字盤を覆うカバーを効率よく設けることのできる時計を提供することを目的としている。
【００１３】
【課題を解決するための手段】
本願第１請求項に記載した発明は、導光性を有する文字盤と、前記文字盤に光を投入する光源とを備え、前記文字盤には、前記光源からの光にて発光する指標部を設けた時計において、前記文字盤には、前記光源を挿通する孔部を設けるとともに、前記孔部に挿通した前記光源の前方には、導光性を有し且つ前記光源からの光にて発光する発光部を設け、更に前記文字盤を覆うカバーを備え、前記カバーは、前記発光部に支持した構成の時計であり、このような構成によると、文字盤が一層効率よく照明される。
【００１４】
すなわち、本発明の時計においては、文字盤の指標部及び発光部が光源の光にて発光し、特に、発光部を光源の前方に設けたので、発光部には、光源の光が直接もたらされる。従って、発光部の明るさは満足に確保される。
【００１６】
そして、前記文字盤を覆うカバーは、前記発光部に支持されるので、カバーが効率よく設けられる。
【００１８】
【発明の実施の形態】
以下に、本発明の具体例を図面に基づいて詳細に説明する。
【００１９】
図１は本例の時計１を示す正面図、図２は本例の時計１を示す側面図、図３は本例の時計１を示す側断面図である。図４は本例の時計１の要部を示す側断面図である。
【００２０】
これらの図に示すように、本例の時計１は、任意に設定された時刻になると、その上部両脇にそれぞれ設けた鈴体１１０を鳴らす目覚まし時計である。目覚まし時刻の設定は、その背面側に設けた操作部（図示は省略）にて行われる。
【００２１】
また、目覚まし機能のＯＮ／ＯＦＦは、その側面側に設けたスライド式の鳴り止めスイッチ１２０にて行うように構成している。
【００２２】
そして、鈴体１１０を一時的に鳴り止める場合には、その上部中央に設けたプッシュ式のスヌーズスイッチ１３０を押すように構成している。すなわち、スヌーズスイッチ１３０を押して鈴体１１０を鳴り止めると、数分後には再び鈴体１１０が鳴り始めるという構成である。
【００２３】
更に、本時計１は、文字盤２００を照明する光源３００を設けたものである。
【００２４】
本例の文字盤１は、導光性を有するとともに、光源３００を挿通する孔部２１０と、光源からの光にて発光する時刻の指標部２２０とを設けてなるものである。
【００２５】
指標部２２０は、文字盤２００の裏面に指標の形状を呈する白色印刷を施して構成している。或いは、文字盤２００の裏面に指標の形状を呈する溝部を設けることによって構成してもよい。
【００２６】
また、文字盤２００の正面側には、指針４００を配置するとともに、文字盤２００の裏面側には、指針４００を駆動するムーブメント４１０を配置している。
【００２７】
文字盤２００の縁部には、文字盤２００の正面方向に向かって突出する発光部５００を設けている。
【００２８】
この発光部５００は、導光性を有し且つ光源３００からの光にて発光するものであり、文字盤２００の孔部２１０に挿通した光源３００の前方に配置している。
【００２９】
本例の発光部５００は、指針４００の回転域を囲む環状を呈するものであり、文字盤２００に対し、文字盤２００とは別体の部品を組み付けて構成している。
【００３０】
尚、文字盤２００と発光部５００との間は、光源３００の光の巡りを考慮して、中空状に構成している。
【００３１】
更に、当該時計１は文字盤２００を覆うカバー６００を備え、このカバー６００は、発光部５００に溶着、接着、又は嵌装して支持している。
【００３２】
そして、この発光部５００及びカバー６００を一体に支持してなるユニットは、時計１の外装ケースにねじ止めして、装着している。
【００３３】
一方、本例の光源３００は、ムーブメント４１０と電源を共用する発光ダイオードである。光源３００の点灯は、前述したスヌーズスイッチ１３０が押される都度、点灯すように構成している。すなわち本例では、スヌーズスイッチ１３０を、光源３００の操作スイッチとして兼用している。
【００３４】
このような構成によれば、スヌーズスイッチ１３０を押して光源３００を点灯することにより、文字盤２００の指標部２２０及び発光部５００から光源３００の光が放射されて、これらが発光する。特に、発光部５００を光源３００の前方に設けているので、環状を呈する発光部５００の全体を満足に発光させることができる。
【００３５】
また本例の場合、文字盤２００及び発光部５００は、集光染料で着色した集光材からなり、指標部２２０及び発光部５００からは、紫、黄色、オレンジ、赤、青、又は緑等の強い蛍光色が発生する。従って、文字盤２００及び発光部５００は、非常に鮮やかな色に輝いて見える。
【００３６】
尚、光源３００の光にて発光するこのような発光部５００を複数設ける場合は、それらの各発光部に対し、それぞれ光源を設けるとよい。
【００３７】
以上説明したように、本例の時計によると、文字盤には、光源を挿通する孔部を設けるとともに、孔部に挿通した光源の前方には、導光性を有し且つ光源からの光にて発光する発光部を設けたので、文字盤を一層効率よく照明することができる。
【００３８】
すなわち、本例の時計においては、文字盤の指標部及び発光部が光源の光にて発光し、特に、発光部を光源の前方に設けたので、発光部には、光源の光を直接もたらすことができる。従って、発光部の明るさを満足に確保することができる。
【００３９】
更に、本例の時計によると、発光部は、文字盤に配置した指針の回転域を囲む環状を呈するので、指針の回転域を囲む照明を効率よく得ることができ、その装飾性を更に向上することができる。
【００４０】
更に、本例の時計によると、当該時計は文字盤を覆うカバーを備え、カバーは、発光部に支持したので、カバーを効率よく設けることができる。
【００４１】
更に、本例の時計によると、文字盤及び発光部の少なくとも一方は、集光染料で着色した集光材からなるので、文字盤の指標部や発光部からは強い蛍光色を発生することができ、時計の美観を一層向上することができる。
【００４２】
【発明の効果】
本願第１請求項に記載した発明は、導光性を有する文字盤と、前記文字盤に光を投入する光源とを備え、前記文字盤には、前記光源からの光にて発光する指標部を設けた時計において、前記文字盤には、前記光源を挿通する孔部を設けるとともに、前記孔部に挿通した前記光源の前方には、導光性を有し且つ前記光源からの光にて発光する発光部を設け、更に前記文字盤を覆うカバーを備え、前記カバーは、前記発光部に支持した構成の時計であり、このような構成によると、文字盤を一層効率よく照明することができるとともに、カバーを効率よく設けることができるものである。
【図面の簡単な説明】
【図１】本発明の具体例に係り、時計を示す正面図である。
【図２】本発明の具体例に係り、時計を示す側面図である。
【図３】本発明の具体例に係り、時計を示す側断面図である。
【図４】本発明の具体例に係り、時計の要部を示す側断面図である。
【符号の説明】
１      時計
１１０      鈴体
１２０      鳴り止めスイッチ
１３０      スヌーズスイッチ
２００      文字盤
２１０      孔部
２２０      指標部
３００      光源
４００      指針
４１０      ムーブメント
５００      発光部
６００      カバー
【図１】
0003631081.tif 000002
【図２】
0003631081.tif 000003
【図３】
0003631081.tif 000004
【図４】
0003631081.tif 000005